(57)【要約】  本願の実施例は、空間関連情報の指示方法及び機器を提供する。ここで、前記指示方法は、基地局が端末に物理上り制御チャネル（ＰＵＣＣＨ）の空間関連情報の指示情報を送信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことを含む。
2021535666.tif 000002
【特許請求の範囲】
【請求項１】
基地局側に適用される空間関連情報の指示方法であって、
基地局が端末に物理上り制御チャネル（ＰＵＣＣＨ）の空間関連情報の指示情報を送信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことを含む、空間関連情報の指示方法。
【請求項２】
前記端末に物理上り制御チャネル（ＰＵＣＣＨ）の空間関連情報の指示情報を送信することは、
前記端末にＰＵＣＣＨの空間関連情報の第１指示情報を送信することであって、前記第１指示情報は、任意のＰＵＣＣＨリソース識別子及びアクティブ化／非アクティブ化空間関連情報を搬送しており、前記アクティブ化／非アクティブ化空間関連情報は、前記端末に構成された全てのＰＵＣＣＨリソースに用いられる、ことを含む
請求項１に記載の指示方法。
【請求項３】
前記端末に物理上り制御チャネル（ＰＵＣＣＨ）の空間関連情報の指示情報を送信することは、
前記端末にＰＵＣＣＨの空間関連情報の第２指示情報を送信することであって、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された全てのＰＵＣＣＨリソースに用いられる、ことを含む
請求項１に記載の指示方法。
【請求項４】
前記端末に物理上り制御チャネル（ＰＵＣＣＨ）の空間関連情報の指示情報を送信することは、
前記端末にＰＵＣＣＨの空間関連情報の第３指示情報を送信することであって、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる、ことを含む
請求項１に記載の指示方法。
【請求項５】
前記第３指示情報を送信する前に、前記指示方法は、
前記端末にＰＵＣＣＨリソースグループの構成情報を送信することであって、前記構成情報は、前記ＰＵＣＣＨリソースグループにおけるＰＵＣＣＨリソースを構成するためのものである、ことを更に含む
請求項４に記載の指示方法。
【請求項６】
端末側に適用される空間関連情報の指示方法であって、
端末が基地局から送信された物理上り制御チャネル（ＰＵＣＣＨ）の空間関連情報の指示情報を受信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことと、
前記端末が前記指示情報により指示される空間関連情報に基づいて、前記少なくとも２つのＰＵＣＣＨリソース又は前記端末のＰＵＣＣＨリソースグループの空間関連情報を決定することと、を含む、空間関連情報の指示方法。
【請求項７】
前記少なくとも２つのＰＵＣＣＨリソース又は前記端末のＰＵＣＣＨリソースグループの空間関連情報に基づいて、ＰＵＣＣＨ伝送を行うことを更に含む
請求項６に記載の指示方法。
【請求項８】
前記指示情報は、任意のＰＵＣＣＨリソース識別子及びアクティブ化／非アクティブ化空間関連情報を搬送しており、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記端末に構成された全てのＰＵＣＣＨリソースの空間関連情報を決定することを含む
請求項６に記載の指示方法。
【請求項９】
前記指示情報は、アクティブ化／非アクティブ化空間関連情報を搬送しているが、如何なるＰＵＣＣＨリソース識別子も搬送しておらず、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記端末に構成された全てのＰＵＣＣＨリソースの空間関連情報を決定することを含むこと特徴とする
請求項６に記載の指示方法。
【請求項１０】
前記指示情報は、第１ＰＵＣＣＨリソースグループのグループ識別子及びアクティブ化／非アクティブ化空間関連情報を搬送しており、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記第１ＰＵＣＣＨリソースグループにおける全てのＰＵＣＣＨリソースの空間関連情報を決定することを含むこと特徴とする
請求項６に記載の指示方法。
【請求項１１】
前記指示情報を受信する前に、前記指示方法は、
前記基地局から送信されたＰＵＣＣＨリソースグループの構成情報を受信することであって、前記構成情報は、前記端末のＰＵＣＣＨリソースグループ及びＰＵＣＣＨリソースグループにおけるＰＵＣＣＨリソースを構成するためのものである、ことを更に含む
請求項１０に記載の指示方法。
【請求項１２】
プロセッサと、送受信機と、を備える基地局であって、
前記送受信機は、端末に物理上り制御チャネル（ＰＵＣＣＨ）の空間関連情報の指示情報を送信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、基地局。
【請求項１３】
前記送受信機は更に、前記端末にＰＵＣＣＨの空間関連情報の第１指示情報を送信するように構成され、前記第１指示情報は、任意のＰＵＣＣＨリソース識別子及びアクティブ化／非アクティブ化空間関連情報を搬送しており、前記アクティブ化／非アクティブ化空間関連情報は、前記端末に構成された全てのＰＵＣＣＨリソースに用いられる
請求項１２に記載の基地局。
【請求項１４】
前記送受信機は更に、前記端末にＰＵＣＣＨの空間関連情報の第２指示情報を送信するように構成され、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された全てのＰＵＣＣＨリソースに用いられる
請求項１２に記載の基地局。
【請求項１５】
前記送受信機は更に、前記端末にＰＵＣＣＨの空間関連情報の第３指示情報を送信するように構成され、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる
請求項１２に記載の基地局。
【請求項１６】
前記送受信機は更に、前記端末にＰＵＣＣＨリソースグループの構成情報を送信するように構成され、前記構成情報は、前記ＰＵＣＣＨリソースグループにおけるＰＵＣＣＨリソースを構成するためのものである
請求項１５に記載の基地局。
【請求項１７】
プロセッサと、送受信機と、を備える端末であって、
前記送受信機は、基地局から送信された物理上り制御チャネル（ＰＵＣＣＨ）の空間関連情報の指示情報を受信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含み、
前記プロセッサは、前記指示情報により指示される空間関連情報に基づいて、前記少なくとも２つのＰＵＣＣＨリソース又は前記端末のＰＵＣＣＨリソースグループの空間関連情報を決定するように構成される、端末。
【請求項１８】
前記プロセッサは更に、前記少なくとも２つのＰＵＣＣＨリソース又は前記端末のＰＵＣＣＨリソースグループの空間関連情報に基づいて、ＰＵＣＣＨ伝送を行うように構成される
請求項１７に記載の端末。
【請求項１９】
前記指示情報は、任意のＰＵＣＣＨリソース識別子及びアクティブ化／非アクティブ化空間関連情報を搬送しており、
前記プロセッサは更に、前記指示情報に含まれるアクティブ化／非アクティブ化空間関連情報に基づいて、前記端末に構成された全てのＰＵＣＣＨリソースの空間関連情報を決定するように構成される
請求項１７に記載の端末。
【請求項２０】
前記指示情報は、アクティブ化／非アクティブ化空間関連情報を搬送しているが、如何なるＰＵＣＣＨリソース識別子も搬送しておらず、
前記プロセッサは更に、前記指示情報に含まれるアクティブ化／非アクティブ化空間関連情報に基づいて、前記端末に構成された全てのＰＵＣＣＨリソースの空間関連情報を決定するように構成される
請求項１７に記載の端末。
【請求項２１】
前記指示情報は、第１ＰＵＣＣＨリソースグループのグループ識別子及びアクティブ化／非アクティブ化空間関連情報を搬送しており、
前記プロセッサは更に、前記指示情報に含まれるアクティブ化／非アクティブ化空間関連情報に基づいて、前記第１ＰＵＣＣＨリソースグループにおける全てのＰＵＣＣＨリソースの空間関連情報を決定するように構成される
請求項１７に記載の端末。
【請求項２２】
前記送受信機は更に、基地局から送信されたＰＵＣＣＨリソースグループの構成情報を受信するように構成され、前記構成情報は、前記端末のＰＵＣＣＨリソースグループ及びＰＵＣＣＨリソースグループにおけるＰＵＣＣＨリソースを構成するためのものである
請求項２１に記載の端末。
【請求項２３】
メモリと、プロセッサと、メモリに記憶された、プロセッサで実行可能なコンピュータプログラムと、を備える通信機器であって、
前記コンピュータプログラムが前記プロセッサに、請求項１から１１のうちいずれか一項に記載の空間関連情報の指示方法を実行させる、通信機器。
【請求項２４】
コンピュータに、請求項１から１１のうちいずれか一項に記載の空間関連情報の指示方法を実行させるためのコンピュータプログラムを記憶した、コンピュータ可読記憶媒体。
【発明の詳細な説明】
【技術分野】
【０００１】
（関連出願の相互参照）
本願は、２０１８年８月２９日に中国で提出された中国特許出願Ｎｏ．２０１８１０９９６２６４．５に基づく優先権を主張し、該中国特許出願の全内容が参照として本願に組み込まれる。
【０００２】
本願の実施例は、通信技術分野に関し、具体的には空間関連情報の指示方法及び機器に関する。
【背景技術】
【０００３】
第５世代の通信技術である新しい無線技術（ｆｉｆｔｈ−ｇｅｎｅｒａｔｉｏｎ  Ｎｅｗ  Ｒａｄｉｏ：５Ｇ  ＮＲ）において、物理上り制御チャネル（Ｐｈｙｓｉｃａｌ  Ｕｐｌｉｎｋ  Ｃｏｎｔｒｏｌ  ＣＨａｎｎｅｌ：ＰＵＣＣＨ）の空間関連（Ｓｐａｔｉａｌ  Ｒｅｌａｔｉｏｎ）情報の指示について、現在、上位層シグナリング（ＰＵＣＣＨ−Ｃｏｎｆｉｇ）におけるＰＵＣＣＨ−ＳｐａｔｉａｌＲｅｌａｔｉｏｎＩｎｆｏにより、最大限８個の空間関連（ｓｐａｔｉａｌ  ｒｅｌａｔｉｏｎ）情報を端末（ＵＥ）に指示することができる。続いて、制御層制御ユニット（ＭＡＣ  ＣＥ）により、各ＰＵＣＣＨリソース識別子（ＰＵＣＣＨ  Ｒｅｓｏｕｒｃｅ  ＩＤ）に対応するＰＵＣＣＨリソースが具体的にどのＳｐａｔｉａｌ  Ｒｅｌａｔｉｏｎを用いるかを指示することができる。図１は、上記ＭＡＣ  ＣＥの１つの具体的なフォーマットを示す。ここで、具体的なＰＵＣＣＨリソースＩＤ（ＰＵＣＣＨ  Ｒｅｓｏｕｒｃｅ  ＩＤ）が含まれる。Ｓ０〜Ｓ７はそれぞれ、８個の空間関連情報に対応する。例えば、Ｓｘが１である場合、該Ｓｘに対応する空間関連情報をアクティブ化することを表す。Ｓｘが０である場合、該Ｓｘに対応する空間関連情報を非アクティブ化することを表す。ここで、ｘの数値範囲は、０〜７である。Ｓ０〜Ｓ７により、上記ＰＵＣＣＨリソースＩＤのために具体的な空間関連情報を指示することができる。
【０００４】
現在、１つの端末に４つのＰＵＣＣＨリソースセット（ＰＵＣＣＨ  Ｒｅｓｏｕｒｃｅ  ｓｅｔ）を構成することができ、最大限、計１２８個のＰＵＣＣＨリソース（ＰＵＣＣＨ  Ｒｅｓｏｕｒｃｅ）を構成することができる。上記指示方式において、ＭＡＣ  ＣＥにより、各ＰＵＣＣＨリソースＩＤ（ｐｅｒ  ＰＵＣＣＨ  Ｒｅｓｏｕｒｃｅ  ＩＤ）に応じてＳｐａｔｉａｌ  Ｒｅｌａｔｉｏｎを指示するため、大きなＭＡＣ  ＣＥオーバーヘッド及び遅延を招く可能性がある。
【発明の概要】
【発明が解決しようとする課題】
【０００５】
本願の実施例の１つの目的は、空間関連情報の指示方法及び機器を提供することで、空間関連情報の指示に必要なシグナリングオーバーヘッド及び遅延を低減させることである。
【課題を解決するための手段】
【０００６】
本願の実施例は、空間関連情報の指示方法を提供する。前記指示方法は、
基地局が端末に物理上り制御チャネル（ＰＵＣＣＨ）の空間関連情報の指示情報を送信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことを含む。
【０００７】
本願の実施例は、もう１つの空間関連情報の指示方法を更に提供する。前記指示方法は、
端末が基地局から送信された物理上り制御チャネル（ＰＵＣＣＨ）の空間関連情報の指示情報を受信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことと、
前記端末が前記指示情報により指示される空間関連情報に基づいて、前記少なくとも２つのＰＵＣＣＨリソース又は前記端末のＰＵＣＣＨリソースグループの空間関連情報を決定することと、を含む。
【０００８】
本願の実施例は、基地局を更に提供する。前記基地局は、プロセッサと、送受信機と、を備え、
前記送受信機は、端末に物理上り制御チャネル（ＰＵＣＣＨ）の空間関連情報の指示情報を送信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む。
【０００９】
本願の実施例は、端末を更に提供する。前記端末は、プロセッサと、送受信機と、を備え、
前記送受信機は、基地局から送信された物理上り制御チャネル（ＰＵＣＣＨ）の空間関連情報の指示情報を受信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含み、
前記プロセッサは、前記指示情報により指示される空間関連情報に基づいて、前記少なくとも２つのＰＵＣＣＨリソース又は前記端末のＰＵＣＣＨリソースグループの空間関連情報を決定するように構成される。
【００１０】
本願の実施例は、通信機器を更に提供する。前記通信機器は、メモリと、プロセッサと、メモリに記憶された、プロセッサで実行可能なコンピュータプログラムと、を備え、前記コンピュータプログラムが前記プロセッサに、上述した空間関連情報の指示方法のステップを実行させる。
【００１１】
本願の実施例は、コンピュータ可読記憶媒体を更に提供する。前記コンピュータ可読記憶媒体にコンピュータプログラムが記憶されており、前記コンピュータプログラムが前記プロセッサに、上述した空間関連情報の指示方法のステップを実行させる。
【発明の効果】
【００１２】
本願の実施例で提供される空間関連情報の指示情報及び機器は、１つの指示情報において、１組（グループ）又は２つ以上のＰＵＣＣＨリソースのために空間関連情報を同時に構成することができる。これにより、空間関連情報の指示に必要なシグナリングオーバーヘッド及び遅延を低減させることができる。
【図面の簡単な説明】
【００１３】
【図１】関連技術における５Ｇ移動体通信システムのＭＡＣ  ＣＥの構造を示す概略図である。
【図２】本願の実施例による空間関連情報の適用シーンを示す概略図である。
【図３】本願の実施例による空間関連情報の指示方法を示す第１フローチャートである。
【図４】本願の実施例による空間関連情報を構成するＭＡＣ  ＣＥの構造を示す概略図である。
【図５】本願の実施例による空間関連情報を構成するもう１つのＭＡＣ  ＣＥの構造を示す概略図である。
【図６】本願の実施例による空間関連情報の指示方法を示す第２フローチャートである。
【図７】本願の実施例による基地局の構造を示す第１図である。
【図８】本願の実施例による基地局の構造を示す第２図である。
【図９】本願の実施例による端末の構造を示す第１図である。
【図１０】本願の実施例による端末の構造を示す第２図である。
【発明を実施するための形態】
【００１４】
下記任意選択的な実施形態に関する詳細な説明を読むことで、種々の他の利点及び有益な効果は、当業者にとって明らかになる。図面は、任意選択的な実施形態を示すためのものだけであり、本願を限定するものと認められない。図面全体において、同一の符号で同一の部材を表す。
【００１５】
以下、図面を参照しながら、本願の例示的な実施例をより詳しく説明する。図面に本願の例示的な実施例を示したが、本願は、ここで記述した実施例に限定されるものではなく、種々の形態で実現可能であることを理解すべきである。むしろ、これらの実施例を提供するのは、本願をより徹底的に理解できるようにし、さらに本願の範囲を完全に当業者に伝えることができるようにするためである。
【００１６】
なお、本願の明細書及び特許請求の範囲における「第１」、「第２」等の用語は、類似した対象を区別するためのものであり、特定の順番又は前後順序を説明するためのものではない。このように用いられたデータは、ここで記述された本願の実施例がここで図示又は記載した順番以外のものに従って実施可能であるようにするために、適切な場合で交換可能であることを理解すべきである。なお、「備える」と「有する」という用語及びそれらの変形は、非排他的な包含を網羅することを意図している。例えば、一連のステップ又はユニットを含むプロセス、方法、システム、製品又は機器は、明確に記載されたそれらのステップ又はユニットに限定されず、明確に列挙されていない他のステップ又はユニットを含んでもよいか又はこのようなプロセス、方法、製品又は機器に固有の他のステップ又はユニットを含んでもよい。明細書及び特許請求の範囲における「及び／又は」は、接続される対象の少なくとも１つを表す。
【００１７】
本明細書に記載の技術は、長期的進化（Ｌｏｎｇ  Ｔｉｍｅ  Ｅｖｏｌｕｔｉｏｎ：ＬＴＥ）／ＬＴＥの進化型（ＬＴＥ−Ａｄｖａｎｃｅｄ：ＬＴＥ−Ａ）システムに限定されず、例えば、符号分割多元接続（Ｃｏｄｅ  Ｄｉｖｉｓｉｏｎ  Ｍｕｌｔｉｐｌｅ  Ａｃｃｅｓｓ：ＣＤＭＡ）、時分割多元接続（Ｔｉｍｅ  Ｄｉｖｉｓｉｏｎ  Ｍｕｌｔｉｐｌｅ  Ａｃｃｅｓｓ：ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ：ＳＣ−ＦＤＭＡ）及び他のシステムのような種々の無線通信システムにも適用可能である。用語「システム」及び「ネットワーク」は互換的に用いられる。ＣＤＭＡシステムは、例えば、ＣＤＭＡ２０００、汎用地上波無線アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）等の無線技術を実現できる。ＵＴＲＡは、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ（登録商標））及び他のＣＤＭＡ変形体を含む。ＴＤＭＡシステムは、例えば、グローバルモバイル通信システム（Ｇｌｏｂａｌ  Ｓｙｓｔｅｍ  ｆｏｒ  Ｍｏｂｉｌｅ  Ｃｏｍｍｕｎｉｃａｔｉｏｎ：ＧＳＭ）のような無線技術を実現できる。ＯＦＤＭＡシステムは、例えば、ウルトラモバイルブロードバンド（Ｕｌｔｒａ−Ｍｏｂｉｌｅ  Ｂｒｏａｄｂａｎｄ：ＵＭＢ）、進化型ＵＴＲＡ（Ｅｖｏｌｕｔｉｏｎ−ＵＴＲＡ：Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等の無線技術を実現できる。ＵＴＲＡ及びＥ−ＵＴＲＡは、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）の一部である。ＬＴＥ及びより進化したＬＴＥ（例えば、ＬＴＥ−Ａ）は、Ｅ−ＵＴＲＡを用いた新たなＵＭＴＳバージョンである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３ＧＰＰ）と命名された組織からの文献に記載された。ＣＤＭＡ２０００及びＵＭＢは、「第３世代パートナーシッププロジェクト」（３ＧＰＰ２）と命名された組織からの文献に記載された。本明細書に記載の技術は、上記言及したシステム及び無線技術に適用可能であるだけでなく、他のシステム及び無線技術にも適用可能である。以下の記述において、例としてＮＲシステムについて説明し、以下の記述の大半においてＮＲ用語が使用されるが、これらの技術は、ＮＲシステム適用例以外にも適用可能である。
【００１８】
以下の記述は例を提供するものであり、特許請求の範囲に記載される範囲、適用性、または構成を限定するものではない。本開示の範囲及び精神から逸脱することなく、説明される要素の機能および配置に対して変更がなされうる。種々の例を適当に省略、置換えすることができるか又は種々の手順又はユニットを追加することができる。例えば、記述される方法を記述される順番と異なる順番に応じて実行することができ、また、種々のステップを追加、省略又は組み合わせすることができる。なお、幾つかの例を参照しながら記述される特徴は、他の例において組み合わせられてもよい。
【００１９】
本願の実施例で適用可能な無線通信システムを示すブロック図である図２を参照されたい。無線通信システムは、端末２１と、ネットワーク機器２２と、を備える。ここで、端末２１は、ユーザ端末又はユーザ機器（Ｕｓｅｒ  Ｅｑｕｉｐｍｅｎｔ：ＵＥ）と呼ばれてもよい。端末２１は、携帯電話、タブレットパーソナルコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ：ＰＤＡ）、モバイルインターネットデバイス（Ｍｏｂｉｌｅ  Ｉｎｔｅｒｎｅｔ  Ｄｅｖｉｃｅ：ＭＩＤ）、ウェアラブル機器（Ｗｅａｒａｂｌｅ  Ｄｅｖｉｃｅ）又は車載機器などの端末側機器であってもよい。本願の実施例において、端末２１の具体的なタイプを限定しない。ネットワーク機器２２は、基地局及び／又はコアネットワークエレメントであってもよい。ここで、上記基地局は、５Ｇ以降のバージョンの基地局（例えば、ｇＮＢ、５Ｇ  ＮＲ  ＮＢ等）又は他の通信システムにおける基地局（例えば、ｅＮＢ、ＷＬＡＮアクセスポイント又は他のアクセスポイント等）であってもよい。ここで、基地局は、ノードＢ、進化型ノードＢ、アクセスポイント、ベーストランシーバステーション（Ｂａｓｅ  Ｔｒａｎｓｃｅｉｖｅｒ  Ｓｔａｔｉｏｎ：ＢＴＳ）、無線基地局、無線送受信機、基本サービスセット（Ｂａｓｉｃ  Ｓｅｒｖｉｃｅ  Ｓｅｔ：ＢＳＳ）、拡張サービスセット（Ｅｘｔｅｎｄｅｄ  Ｓｅｒｖｉｃｅ  Ｓｅｔ：ＥＳＳ）、ノードＢ、進化型ノードＢ（ｅＮＢ）、ホームノードＢ、進化型ホームノードＢ、ＷＬＡＮアクセスポイント、ＷｉＦｉノード又は前記分野における他の適切な用語と呼ばれてもよい。同様な技術的効果を達成できれば、前記基地局は、特定の技術的用語に限定されない。本願の実施例において、ＮＲシステムにおける基地局のみを例とするが、基地局の具体的なタイプを限定しない。
【００２０】
基地局は、基地局コントローラによる制御下で、端末２１と通信することができる。種々の例において、基地局コントローラは、コアネットワーク又は基地局の一部であってもよい。幾つかの基地局は、バックホールを介してコアネットワークと制御情報又はユーザデータの通信を行うことができる。幾つかの例において、これらの基地局のうちの一部は、バックホールリンクを介して直接的又は間接的に相互通信することができる。バックホールリンクは、有線又は無線通信リンクであってもよい。無線通信システムは、複数のキャリア（周波数が異なる波形信号）での動作をサポートできる。マルチキャリア送信機は、変調された信号を該複数のキャリアで同時に伝送することができる。例えば、各通信リンクは、種々の無線技術に従って変調されたマルチキャリア信号であってもよい。各変調された信号は、様々なキャリアで送信され、かつ制御情報（例えば、基準信号、制御チャネルなど）、オーバーヘッド情報、データなどを搬送することができる。
【００２１】
基地局は、１つ又は複数のアクセスポイントアンテナを介して端末２１と無線通信を行うことができる。各基地局は、それぞれ対応するカバレッジエリアに通信カバレッジを提供することができる。アクセスポイントのカバレッジエリアは、該カバレッジエリアの一部のみを構成するセクタに分割されてもよい。無線通信システムは、タイプの異なる基地局（例えば、マクロ基地局、マイクロ基地局、又はピコ基地局）を含んでもよい。基地局は、例えばセルラー又はＷＬＡＮ無線アクセス技術のような種々の無線技術を利用することもできる。基地局は、同じ又は異なるアクセスネットワーク又はオペレーター配置に関連してもよい。種々の基地局のカバレッジエリア（タイプが同じ又は異なる基地局のカバレッジエリア、同じ又は異なる無線技術を用いたカバレッジエリア、又は同じ又は異なるアクセスネットワークに属するカバレッジエリアを含む）は、オーバーラップされ得る。
【００２２】
無線通信システムにおける通信リンクは、上りリンク（Ｕｐｌｉｎｋ：ＵＬ）伝送（例えば、端末２１からネットワーク機器２２へ）を搬送するための上りリンク、又は、下りリンク（Ｄｏｗｎｌｉｎｋ：ＤＬ）伝送（例えば、ネットワーク機器２２から端末２１へ）を搬送するための下りリンクを含んでもよい。ＵＬ伝送は、逆方向リンク伝送と呼ばれてもよく、ＤＬ伝送は、順方向リンク伝送と呼ばれてもよい。下りリンク伝送は、ライセンスバンド、アンライセンスバンド又はこれらの両者により実行されてもよい。同様に、上りリンク伝送は、ライセンスバンド、アンライセンスバンド又はこれらの両者により実行されてもよい。
【００２３】
図３に示すように、本願の実施例は、空間関連情報の指示方法を提供する。該方法は、基地局に適用され、以下を含む。
【００２４】
ステップ３１において、基地局が端末にＰＵＣＣＨの空間関連情報の指示情報を送信し、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む。
【００２５】
ここで、前記指示情報は具体的には、ＭＡＣ  ＣＥであってもよい。
【００２６】
上記ステップにより、本願の実施例は、１つの指示情報により、端末に一組又は２つ以上のＰＵＣＣＨリソースの空間関連情報を指示することができる。これにより、空間関連情報の指示効率を向上させ、空間関連情報の指示に必要なシグナリングオーバーヘッド及び遅延を低減させる。
【００２７】
一実施形態として、上記ステップ３１において、基地局は、端末にＰＵＣＣＨの空間関連情報の第１指示情報を送信することができる。前記第１指示情報は、任意のＰＵＣＣＨリソース識別子及びアクティブ化／非アクティブ化空間関連情報を搬送しており、前記アクティブ化／非アクティブ化空間関連情報は、前記端末に構成された全てのＰＵＣＣＨリソースに用いられる。具体的には、図１に示したＭＡＣ  ＣＥである、関連技術における空間関連情報に用いられるＭＡＣ  ＣＥを援用することができる。該ＭＡＣ  ＣＥを利用して上記第１指示情報を送信する。この場合、ＭＡＣ  ＣＥにより搬送されたＰＵＣＣＨリソース識別子は、任意のＰＵＣＣＨリソース識別子であってもよい。例えば、端末のいずれか１つのＰＵＣＣＨリソースの識別子である。
【００２８】
もう１つの実現形態として、上記ステップ３１において、基地局は、端末にＰＵＣＣＨの空間関連情報の第２指示情報を送信することができる。前記第２指示情報は、アクティブ化／非アクティブ化空間関連情報を搬送しているが、如何なるＰＵＣＣＨリソース識別子も搬送していない。前記アクティブ化／非アクティブ化空間関連情報は、前記端末に構成された全てのＰＵＣＣＨリソースに用いられる。具体的には、関連技術における空間関連情報に用いられるＭＡＣ  ＣＥを改良し、新たなＭＡＣ  ＣＥを導入し、該ＭＡＣ  ＣＥを利用して上記第２指示情報を送信することができる。この場合、ＭＡＣ  ＣＥで如何なるＰＵＣＣＨリソース識別子も搬送されていないが、アクティブ化／非アクティブ化空間関連情報が搬送されている。図４は、上記ＭＡＣ  ＣＥの構造を示す概略図である。図面における長い横線は、８ビットのＯｃｔ２を省略又はリザーブしてもよいことを表す。
【００２９】
また１つの実現形態として、上記ステップ３１において、基地局は、端末にＰＵＣＣＨの空間関連情報の第３指示情報を送信することができる。前記第３指示情報は、第１ＰＵＣＣＨリソースグループのグループ識別子及びアクティブ化／非アクティブ化空間関連情報を搬送している。前記アクティブ化／非アクティブ化空間関連情報は、前記第１ＰＵＣＣＨリソースグループにおける全てのＰＵＣＣＨリソースに用いられる。具体的には、関連技術における空間関連情報に用いられるＭＡＣ  ＣＥを改良し、新たなＭＡＣ  ＣＥを導入し、該ＭＡＣ  ＣＥを利用して上記第３指示情報を送信することができる。この場合、ＭＡＣ  ＣＥでＰＵＣＣＨリソースグループのグループ識別子（ＰＵＣＣＨ  Ｒｅｓｏｕｒｃｅ  Ｇｒｏｕｐ  ＩＤ）及びアクティブ化／非アクティブ化空間関連情報が搬送されている。図５は、上記ＭＡＣ  ＣＥの構造を示す概略図である。図面における「ＰＵＣＣＨ  Ｒｅｓｏｕｒｃｅ  Ｇｒｏｕｐ  ＩＤ」は、関連技術におけるＭＡＣ  ＣＥの（ＰＵＣＣＨ  Ｒｅｓｏｕｒｃｅ  ＩＤ）のフィールドを改良したことを表す。
【００３０】
本願の実施例において、ＰＵＣＣＨリソースグループの形態で空間関連情報を指示する場合、上記ステップ３１の前に、基地局は、端末にＰＵＣＣＨリソースグループの構成情報を送信することができる。前記構成情報は、前記ＰＵＣＣＨリソースグループにおけるＰＵＣＣＨリソースを構成するためのものである。例えば、基地局は、端末のためにＰＵＣＣＨリソースグループを構成するように、ＲＲＣシグナリングのような上位層シグナリングを事前に通知することができる。具体的には、ＰＵＣＣＨリソースグループのグループ識別子及びＰＵＣＣＨリソースグループに含まれる１つ又は複数のＰＵＣＣＨリソースを含んでもよい。
【００３１】
以上は、基地局側での、本願の実施例の空間関連情報の指示方法のフローを提供する。以下、図６を参照しながら、端末側でのフローを更に説明する。図６に示すように、本願の実施例で提供される空間関連情報の指示方法は、端末側に適用される時、以下を含む。
【００３２】
ステップ６１において、端末が基地局から送信された物理上り制御チャネル（ＰＵＣＣＨ）の空間関連情報の指示情報を受信し、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む。
【００３３】
ここで、指示情報は、ＭＡＣ  ＣＥにより搬送されてもよい。
【００３４】
ステップ６２において、端末が前記指示情報により指示される空間関連情報に基づいて、前記少なくとも２つのＰＵＣＣＨリソース又は前記端末のＰＵＣＣＨリソースグループの空間関連情報を決定する。
【００３５】
上記ステップにより、端末は、指示情報を一回受信することで、複数又は一組（グループ）のＰＵＣＣＨリソースの空間関連情報を得ることができる。これにより、空間関連情報の指示効率を向上させ、空間関連情報の指示に必要なシグナリングオーバーヘッド及び遅延を低減させる。
【００３６】
上記ステップの６２の後に、本願の実施例の端末は、前記少なくとも２つのＰＵＣＣＨリソース又は前記端末のＰＵＣＣＨリソースグループの空間関連情報に基づいて、ＰＵＣＣＨ伝送を行うこともできる。例えば、上記空間関連情報に基づいて、対応する送信ビームを決定し、ＰＵＣＣＨ伝送を行う。
【００３７】
具体的には、一実現形態として、前記指示情報は、任意のＰＵＣＣＨリソース識別子及びアクティブ化／非アクティブ化空間関連情報を搬送している。この場合、上記ステップ６２において、端末は、前記指示情報に含まれるアクティブ化／非アクティブ化空間関連情報に基づいて、前記端末に構成された全てのＰＵＣＣＨリソースの空間関連情報を決定することができる。
【００３８】
具体的には、もう１つの実現形態として、前記指示情報は、アクティブ化／非アクティブ化空間関連情報を搬送しているが、如何なるＰＵＣＣＨリソース識別子も搬送していない。この場合、上記ステップ６２において、端末は、前記指示情報に含まれるアクティブ化／非アクティブ化空間関連情報に基づいて、前記端末に構成された全てのＰＵＣＣＨリソースの空間関連情報を決定することができる。
【００３９】
具体的には、また１つの実施形態として、前記第３指示情報は、第１ＰＵＣＣＨリソースグループのグループ識別子及びアクティブ化／非アクティブ化空間関連情報を搬送している。この場合、上記ステップ６２において、端末は、前記指示情報に含まれるアクティブ化／非アクティブ化空間関連情報に基づいて、前記第１ＰＵＣＣＨリソースグループにおける全てのＰＵＣＣＨリソースの空間関連情報を決定することができる。
【００４０】
ＰＵＣＣＨリソースグループの形態で空間関連情報を指示する場合、上記ステップ６１の前に、端末は、基地局から送信されたＰＵＣＣＨリソースグループの構成情報を受信することができる。前記構成情報は、前記端末のＰＵＣＣＨリソースグループ及びＰＵＣＣＨリソースグループにおけるＰＵＣＣＨリソースを構成するためのものである。また、上記構成情報に基づいて、端末のＰＵＣＣＨリソースグループを決定することができる。例えば、基地局から送信された、ＲＲＣシグナリングのような上位層シグナリングを受信する。該上位層シグナリングは、ＰＵＣＣＨリソースグループのグループ識別子及びＰＵＣＣＨリソースグループに含まれる１つ又は複数のＰＵＣＣＨリソースを含んでもよい。
【００４１】
上記方法によれば、本願の実施例は、上記方法を実行する機器を更に提供する。
【００４２】
図７に示すように、本願の実施例は、基地局７００の構造を示す概略図を提供する。該基地局は、プロセッサ７０１と、送受信機７０２と、を備え、
前記送受信機７０２は、端末に物理上り制御チャネル（ＰＵＣＣＨ）の空間関連情報の指示情報を送信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む。
【００４３】
任意選択的に、前記送受信機７０２は更に、端末にＰＵＣＣＨの空間関連情報の第１指示情報を送信するように構成され、前記第１指示情報は、任意のＰＵＣＣＨリソース識別子及びアクティブ化／非アクティブ化空間関連情報を搬送しており、前記アクティブ化／非アクティブ化空間関連情報は、前記端末に構成された全てのＰＵＣＣＨリソースに用いられる。
【００４４】
任意選択的に、前記送受信機７０２は更に、端末にＰＵＣＣＨの空間関連情報の第２指示情報を送信するように構成され、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された全てのＰＵＣＣＨリソースに用いられる。
【００４５】
任意選択的に、前記送受信機７０２は更に、端末にＰＵＣＣＨの空間関連情報の第３指示情報を送信するように構成され、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる。
【００４６】
任意選択的に、前記送受信機７０２は更に、端末にＰＵＣＣＨリソースグループの構成情報を送信するように構成され、前記構成情報は、前記ＰＵＣＣＨリソースグループにおけるＰＵＣＣＨリソースを構成するためのものである。
【００４７】
図８に示すように、本願の実施例は、基地局８００の構造を示す概略図を提供する。該基地局は、プロセッサ８０１と、送受信機８０２と、メモリ８０３と、バスインタフェースと、を備え、
前記送受信機８０２は、端末に物理上り制御チャネル（ＰＵＣＣＨ）の空間関連情報の指示情報を送信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む。
【００４８】
任意選択的に、前記送受信機８０２は更に、端末にＰＵＣＣＨの空間関連情報の第１指示情報を送信するように構成され、前記第１指示情報は、任意のＰＵＣＣＨリソース識別子及びアクティブ化／非アクティブ化空間関連情報を搬送しており、前記アクティブ化／非アクティブ化空間関連情報は、前記端末に構成された全てのＰＵＣＣＨリソースに用いられる。
【００４９】
任意選択的に、前記送受信機８０２は更に、端末にＰＵＣＣＨの空間関連情報の第２指示情報を送信するように構成され、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された全てのＰＵＣＣＨリソースに用いられる。
【００５０】
任意選択的に、前記送受信機８０２は更に、端末にＰＵＣＣＨの空間関連情報の第３指示情報を送信するように構成され、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる。
【００５１】
任意選択的に、前記送受信機８０２は更に、端末にＰＵＣＣＨリソースグループの構成情報を送信するように構成され、前記構成情報は、前記ＰＵＣＣＨリソースグループにおけるＰＵＣＣＨリソースを構成するためのものである。
【００５２】
図８において、バスアーキテクチャは、任意の数の相互接続されたバス及びブリッジを含んでもよい。具体的には、プロセッサ８０１で表された１つ又は複数のプロセッサ及びメモリ８０３で表されたメモリの種々の回路を介してリンクされる。バスアーキテクチャは、外部機器、レギュレータ及び電力管理回路などのような種々の他の回路をリンクすることもできる。これらはいずれも本分野における周知のものであるため、本明細書において詳細な説明を省略する。バスインタフェースは、インタフェースを提供する。送受信機８０２は、複数の素子であってもよい。つまり、送信機及び受信機を含み、伝送媒体で種々の他の装置と通信するためのユニットを提供する。
【００５３】
プロセッサ８０１は、バスアーキテクチャの管理及び一般的な処理を担う。メモリ８０３は、プロセッサ８０１が操作を実行する時に用いられるデータを記憶することができる。
【００５４】
図９に示すよう９０１と、送受信機９０２と、を備え、
前記送受信機９０２は、基地局から送信された物理上り制御チャネル（ＰＵＣＣＨ）の空間関連情報の指示情報を受信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含み、
前記プロセッサ９０１は、前記指示情報により指示される空間関連情報に基づいて、前記少なくとも２つのＰＵＣＣＨリソース又は前記端末のＰＵＣＣＨリソースグループの空間関連情報を決定するように構成される。
【００５５】
任意選択的に、前記プロセッサ９０１は更に、前記少なくとも２つのＰＵＣＣＨリソース又は前記端末のＰＵＣＣＨリソースグループの空間関連情報に基づいて、ＰＵＣＣＨ伝送を行うように構成される。
【００５６】
任意選択的に、前記指示情報は、任意のＰＵＣＣＨリソース識別子及びアクティブ化／非アクティブ化空間関連情報を搬送しており、前記プロセッサ９０１は更に、前記指示情報に含まれるアクティブ化／非アクティブ化空間関連情報に基づいて、前記端末に構成された全てのＰＵＣＣＨリソースの空間関連情報を決定するように構成される。
【００５７】
任意選択的に、前記指示情報は、アクティブ化／非アクティブ化空間関連情報を搬送しているが、如何なるＰＵＣＣＨリソース識別子も搬送しておらず、前記プロセッサ９０１は更に、前記指示情報に含まれるアクティブ化／非アクティブ化空間関連情報に基づいて、前記端末に構成された全てのＰＵＣＣＨリソースの空間関連情報を決定するように構成される。
【００５８】
任意選択的に、前記指示情報は、第１ＰＵＣＣＨリソースグループのグループ識別子及びアクティブ化／非アクティブ化空間関連情報を搬送しており、前記プロセッサ９０１は更に、前記指示情報に含まれるアクティブ化／非アクティブ化空間関連情報に基づいて、前記第１ＰＵＣＣＨリソースグループにおける全てのＰＵＣＣＨリソースの空間関連情報を決定するように構成される。
【００５９】
任意選択的に、前記送受信機９０２は更に、基地局から送信されたＰＵＣＣＨリソースグループの構成情報を受信するように構成され、前記構成情報は、前記端末のＰＵＣＣＨリソースグループ及びＰＵＣＣＨリソースグループにおけるＰＵＣＣＨリソースを構成するためのものである。
【００６０】
本願の実施例による端末の構造を示すもう１つの概略図である図１０に示すように、該端末１０００は、プロセッサ１００１と、送受信機１００２と、メモリ１００３と、ユーザインタフェース１００４と、バスインタフェースと、を備え、
本願の実施例において、端末１０００は、メモリ１００３に記憶された、プロセッサ１００１で実行可能なコンピュータプログラムを更に備える。
【００６１】
前記送受信機１００２は、基地局から送信された物理上り制御チャネル（ＰＵＣＣＨ）の空間関連情報の指示情報を受信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含み、
前記プロセッサ１００１は、メモリにおけるプログラムを読み取り、前記指示情報により指示される空間関連情報に基づいて、前記少なくとも２つのＰＵＣＣＨリソース又は前記端末のＰＵＣＣＨリソースグループの空間関連情報を決定することを実行するように構成される。
【００６２】
任意選択的に、前記プロセッサ１００１は更に、前記少なくとも２つのＰＵＣＣＨリソース又は前記端末のＰＵＣＣＨリソースグループの空間関連情報に基づいて、ＰＵＣＣＨ伝送を行うように構成される。
【００６３】
任意選択的に、前記指示情報は、任意のＰＵＣＣＨリソース識別子及びアクティブ化／非アクティブ化空間関連情報を搬送しており、前記プロセッサ１００１は更に、前記指示情報に含まれるアクティブ化／非アクティブ化空間関連情報に基づいて、前記端末に構成された全てのＰＵＣＣＨリソースの空間関連情報を決定するように構成される。
【００６４】
任意選択的に、前記指示情報は、アクティブ化／非アクティブ化空間関連情報を搬送しているが、如何なるＰＵＣＣＨリソース識別子も搬送しておらず、前記プロセッサ１００１は更に、前記指示情報に含まれるアクティブ化／非アクティブ化空間関連情報に基づいて、前記端末に構成された全てのＰＵＣＣＨリソースの空間関連情報を決定するように構成される。
【００６５】
任意選択的に、前記指示情報は、第１ＰＵＣＣＨリソースグループのグループ識別子及びアクティブ化／非アクティブ化空間関連情報を搬送しており、前記プロセッサ１００１は更に、前記指示情報に含まれるアクティブ化／非アクティブ化空間関連情報に基づいて、前記第１ＰＵＣＣＨリソースグループにおける全てのＰＵＣＣＨリソースの空間関連情報を決定するように構成される。
【００６６】
任意選択的に、前記送受信機１００２は更に、基地局から送信されたＰＵＣＣＨリソースグループの構成情報を受信するように構成され、前記構成情報は、前記端末のＰＵＣＣＨリソースグループ及びＰＵＣＣＨリソースグループにおけるＰＵＣＣＨリソースを構成するためのものである。
【００６７】
図１０において、バスアーキテクチャは、任意の数の相互接続されたバス及びブリッジを含んでもよい。具体的には、プロセッサ１００１で表された１つ又は複数のプロセッサ及びメモリ１００３で表されたメモリの種々の回路を介してリンクされる。バスアーキテクチャは、外部機器、レギュレータ及び電力管理回路などのような種々の他の回路をリンクすることもできる。これらはいずれも本分野における周知のものであるため、本明細書において詳細な説明を省略する。バスインタフェースは、インタフェースを提供する。送受信機１００２は、複数の素子であってもよい。つまり、送信機及び受信機を含み、伝送媒体で種々の他の装置と通信するためのユニットを提供する。様々なユーザ機器に対して、ユーザインタフェース１００４は、必要な外部機器又は内部機器を接続できるインタフェースであってもよい。接続される機器は、テンキー、ディスプレイ、スピーカー、マイクロホン、操縦レバーなどを含むが、これらに限定されない。
【００６８】
プロセッサ１００１は、バスアーキテクチャの管理及び一般的な処理を担う。メモリ１００３は、プロセッサ１００１が操作を実行する時に用いられるデータを記憶することができる。
【００６９】
当業者であれば、本明細書に開示されている実施例に関係して記載された種々の例示的なユニット及びアルゴリズムステップは、電子ハードウェア、又はコンピュータソフトウェアと電子ハードウェアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【００７０】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【００７１】
本願で提供する幾つかの実施例で開示した装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【００７２】
分離部材として説明した前記ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【００７３】
また、本願の各実施例における各機能ユニットは一つの処理ユニットに集積されてもよいし、各ユニットが物理的に別個のものとして存在してもよいし、２つ以上のユニットが一つのユニットに集積されてもよい。
【００７４】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の空間関連情報の指示方法の全部又は一部のステップを実行させるための若干の命令を含む。前記の記憶媒体は、ＵＳＢメモリ、リムーバブルハードディスク、ＲＯＭ、ＲＡＭ、磁気ディスク、又は光ディスクなど、プログラムコードを記憶可能な各種の媒体を含む。
【００７５】
以上は本願の具体的な実施形態に過ぎず、本願の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021535666.tif 000003
【図２】
2021535666.tif 000004
【図３】
2021535666.tif 000005
【図４】
2021535666.tif 000006
【図５】
2021535666.tif 000007
【図６】
2021535666.tif 000008
【図７】
2021535666.tif 000009
【図８】
2021535666.tif 000010
【図９】
2021535666.tif 000011
【図１０】
2021535666.tif 000012
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
基地局側に適用される空間関連情報の指示方法であって、
基地局が端末に物理上り制御チャネル（ＰＵＣＣＨ）の空間関連情報の指示情報を送信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことを含む、空間関連情報の指示方法。
【請求項２】
前記端末に物理上り制御チャネル（ＰＵＣＣＨ）の空間関連情報の指示情報を送信することは、
前記端末にＰＵＣＣＨの空間関連情報の第１指示情報を送信することであって、前記第１指示情報は、前記ＰＵＣＣＨリソースグループにおけるいずれか一つのＰＵＣＣＨリソースの識別子及びアクティブ化／非アクティブ化空間関連情報を搬送しており、前記アクティブ化／非アクティブ化空間関連情報は、前記端末に構成された前記ＰＵＣＣＨリソースグループにおける全てのＰＵＣＣＨリソースに用いられる、ことを含む
請求項１に記載の指示方法。
【請求項３】
前記端末に物理上り制御チャネル（ＰＵＣＣＨ）の空間関連情報の指示情報を送信することは、
前記端末にＰＵＣＣＨの空間関連情報の第２指示情報を送信することであって、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された前記ＰＵＣＣＨリソースグループにおける全てのＰＵＣＣＨリソースに用いられる、ことを含む
請求項１に記載の指示方法。
【請求項４】
前記端末に物理上り制御チャネル（ＰＵＣＣＨ）の空間関連情報の指示情報を送信することは、
前記端末にＰＵＣＣＨの空間関連情報の第３指示情報を送信することであって、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる、ことを含む
請求項１に記載の指示方法。
【請求項５】
前記第３指示情報を送信する前に、前記指示方法は、
前記端末にＰＵＣＣＨリソースグループの構成情報を送信することであって、前記構成情報は、前記ＰＵＣＣＨリソースグループにおけるＰＵＣＣＨリソースを構成するためのものである、ことを更に含む
請求項４に記載の指示方法。
【請求項６】
端末側に適用される空間関連情報の指示方法であって、
端末が基地局から送信された物理上り制御チャネル（ＰＵＣＣＨ）の空間関連情報の指示情報を受信することであって、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、ことと、
前記端末が前記指示情報により指示される空間関連情報に基づいて、前記少なくとも２つのＰＵＣＣＨリソース又は前記端末のＰＵＣＣＨリソースグループの空間関連情報を決定することと、を含む、空間関連情報の指示方法。
【請求項７】
前記少なくとも２つのＰＵＣＣＨリソース又は前記端末のＰＵＣＣＨリソースグループの空間関連情報に基づいて、ＰＵＣＣＨ伝送を行うことを更に含む
請求項６に記載の指示方法。
【請求項８】
前記指示情報は、前記ＰＵＣＣＨリソースグループにおけるいずれか一つのＰＵＣＣＨリソースの識別子及びアクティブ化／非アクティブ化空間関連情報を搬送しており、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記端末に構成された前記ＰＵＣＣＨリソースグループにおける全てのＰＵＣＣＨリソースの空間関連情報を決定することを含む
請求項６に記載の指示方法。
【請求項９】
前記指示情報は、アクティブ化／非アクティブ化空間関連情報を搬送しているが、如何なるＰＵＣＣＨリソース識別子も搬送しておらず、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記端末に構成された前記ＰＵＣＣＨリソースグループにおける全てのＰＵＣＣＨリソースの空間関連情報を決定することを含むこと特徴とする
請求項６に記載の指示方法。
【請求項１０】
前記指示情報は、第１ＰＵＣＣＨリソースグループのグループ識別子及びアクティブ化／非アクティブ化空間関連情報を搬送しており、前記指示情報により指示される空間関連情報に基づいて、前記少なくとも２つのＰＵＣＣＨリソース又は前記端末のＰＵＣＣＨリソースグループの空間関連情報を決定することは、
前記指示情報に含まれるアクティブ化／非アクティブ化空間関連情報に基づいて、前記第１ＰＵＣＣＨリソースグループにおける全てのＰＵＣＣＨリソースの空間関連情報を決定することを含むこと特徴とする
請求項６に記載の指示方法。
【請求項１１】
前記指示情報を受信する前に、前記指示方法は、
前記基地局から送信されたＰＵＣＣＨリソースグループの構成情報を受信することであって、前記構成情報は、前記端末のＰＵＣＣＨリソースグループ及びＰＵＣＣＨリソースグループにおけるＰＵＣＣＨリソースを構成するためのものである、ことを更に含む
請求項１０に記載の指示方法。
【請求項１２】
プロセッサと、送受信機と、を備える基地局であって、
前記送受信機は、端末に物理上り制御チャネル（ＰＵＣＣＨ）の空間関連情報の指示情報を送信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含む、基地局。
【請求項１３】
前記送受信機は更に、前記端末にＰＵＣＣＨの空間関連情報の第１指示情報を送信するように構成され、前記第１指示情報は、前記ＰＵＣＣＨリソースグループにおけるいずれか一つのＰＵＣＣＨリソースの識別子及びアクティブ化／非アクティブ化空間関連情報を搬送しており、前記アクティブ化／非アクティブ化空間関連情報は、前記端末に構成された前記ＰＵＣＣＨリソースグループにおける全てのＰＵＣＣＨリソースに用いられる
請求項１２に記載の基地局。
【請求項１４】
前記送受信機は更に、前記端末にＰＵＣＣＨの空間関連情報の第２指示情報を送信するように構成され、前記第２指示情報は、アクティブ化／非アクティブ化空間関連情報を搬送しているが、如何なるＰＵＣＣＨリソース識別子も搬送しておらず、前記アクティブ化／非アクティブ化空間関連情報は、前記端末に構成された前記ＰＵＣＣＨリソースグループにおける全てのＰＵＣＣＨリソースに用いられる
請求項１２に記載の基地局。
【請求項１５】
前記送受信機は更に、前記端末にＰＵＣＣＨの空間関連情報の第３指示情報を送信するように構成され、前記第３指示情報は、第１ＰＵＣＣＨリソースグループのグループ識別子及びアクティブ化／非アクティブ化空間関連情報を搬送しており、前記アクティブ化／非アクティブ化空間関連情報は、前記第１ＰＵＣＣＨリソースグループにおける全てのＰＵＣＣＨリソースに用いられる
請求項１２に記載の基地局。
【請求項１６】
プロセッサと、送受信機と、を備える端末であって、
前記送受信機は、基地局から送信された物理上り制御チャネル（ＰＵＣＣＨ）の空間関連情報の指示情報を受信するように構成され、前記指示情報により指示される空間関連情報は、前記端末の少なくとも２つのＰＵＣＣＨリソース又は前記端末のＰＵＣＣＨリソースグループに適用され、前記ＰＵＣＣＨリソースグループは、少なくとも１つのＰＵＣＣＨリソースを含み、
前記プロセッサは、前記指示情報により指示される空間関連情報に基づいて、前記少なくとも２つのＰＵＣＣＨリソース又は前記端末のＰＵＣＣＨリソースグループの空間関連情報を決定するように構成される、端末。
【請求項１７】
前記プロセッサは更に、前記少なくとも２つのＰＵＣＣＨリソース又は前記端末のＰＵＣＣＨリソースグループの空間関連情報に基づいて、ＰＵＣＣＨ伝送を行うように構成される
請求項１６に記載の端末。
【請求項１８】
前記指示情報は、前記ＰＵＣＣＨリソースグループにおけるいずれか一つのＰＵＣＣＨリソースの識別子及びアクティブ化／非アクティブ化空間関連情報を搬送しており、
前記プロセッサは更に、前記指示情報に含まれるアクティブ化／非アクティブ化空間関連情報に基づいて、前記端末に構成された前記ＰＵＣＣＨリソースグループにおける全てのＰＵＣＣＨリソースの空間関連情報を決定するように構成される
請求項１６に記載の端末。
【請求項１９】
前記指示情報は、アクティブ化／非アクティブ化空間関連情報を搬送しているが、如何なるＰＵＣＣＨリソース識別子も搬送しておらず、
前記プロセッサは更に、前記指示情報に含まれるアクティブ化／非アクティブ化空間関連情報に基づいて、前記端末に構成された前記ＰＵＣＣＨリソースグループにおける全てのＰＵＣＣＨリソースの空間関連情報を決定するように構成される
請求項１６に記載の端末。
【請求項２０】
前記指示情報は、第１ＰＵＣＣＨリソースグループのグループ識別子及びアクティブ化／非アクティブ化空間関連情報を搬送しており、
前記プロセッサは更に、前記指示情報に含まれるアクティブ化／非アクティブ化空間関連情報に基づいて、前記第１ＰＵＣＣＨリソースグループにおける全てのＰＵＣＣＨリソースの空間関連情報を決定するように構成される
請求項１６に記載の端末。
【国際調査報告】
2021535666.tif 000013
2021535666.tif 000014
2021535666.tif 000015
2021535666.tif 000016